(57)【要約】【課題】ディスプレイのコラムを好適に制御可能な装置を提供する。【解決手段】本発明は、ディスプレイのコラムを制御する装置であって、ｋビットからなる表示されるべき情報を供給するディジタルデータソースと、（Ｎ＋１）個の離散的な電圧の発生器と、前記ｋビットのうちのｈビットに基づいて、表示されるべき灰色のレベルに適したコラム電圧のペアを選択する信号を生成するバイナリデコーディング回路と、ロウ時間以内にアドレッシングシーケンスを供給することが可能なシーケンサと、該シーケンサの出力と前記ｋビットのうちの残りのビットとを比較するコンパレータと、バイナリデコーディング回路およびコンパレータの出力に接続された論理回路と、前記発生器からの電圧を、前記論理回路の出力に基づいてコラムに供給する（Ｎ＋１）個のスイッチと、を具備することを特徴とする。【選択図】図６
2007140552.tif 000002
【特許請求の範囲】
【請求項１】
ディスプレイのコラムを制御する装置であって、
ｋビットからなる表示されるべき情報を供給するディジタルデータソースと、
（Ｎ＋１）個の離散的な電圧の発生器と、
前記ｋビットのうちのｈビットに基づいて、表示されるべき灰色のレベルに適したコラム電圧のペアを選択する信号を生成するバイナリデコーディング回路と、
ロウ時間以内にアドレッシングシーケンスを供給することが可能なシーケンサと、
該シーケンサの出力と前記ｋビットのうちの残りのビットとを比較するコンパレータと、
バイナリデコーディング回路およびコンパレータの出力に接続された論理回路と、
前記発生器からの電圧を、前記論理回路の出力に基づいてコラムに供給する（Ｎ＋１）個のスイッチと、
を具備することを特徴とする装置。
【請求項２】
シーケンサは、カウンタであり、そのクロックは１つのロウ時間当たり２（ｋ−ｈ）パルスを有し、前記カウンタは各ロウ時間の間に開始させられることを特徴とする請求項１記載の装置。
【請求項３】
（Ｎ＋１）個の離散的な電圧の発生器は、抵抗分割ブリッジによって設定された入力電圧とともに、フォロア増幅器として接続されている演算増幅器によって構成されていることを特徴とする請求項１記載の装置。
【請求項４】
（Ｎ＋１）個の離散的な電圧の発生器は、（Ｎ＋１）個の電圧の値を計算するコントローラによって制御される、１つ、あるいはそれ以上のディジタル・アナログ変換器を基礎として構成されていることを特徴とする請求項１記載の装置。
【請求項５】
ユーザの要求に従って離散的電圧発生器を制御することが可能な、白黒、あるいはカラーパレット回路を具備することを特徴とする請求項１記載の装置。
【発明の詳細な説明】
【技術分野】
【０００１】
本発明は、マイクロチップ蛍光ディスプレイタイプであって、異なる灰色のレベルを有するイメージを表示するためのマトリックスディスプレイの制御方法およびその装置に関する。イメージが白黒、あるいはカラーである時、後者の場合、「灰色のレベル」という語は、「カラーの中間調」を意味する。
【背景技術】
【０００２】
マイクロチップ蛍光スクリーン、あるいはディスプレイが知られており、特に、「マイクロチップ蛍光ディスプレイ」というタイトルの論文（Ｒ．メイヤー（R.Meyer）著、日
本表示、８６年、第５１２頁）に開示されている。
【０００３】
マトリックスディスプレイ上にイメージのディスプレイ制御について、一般的に、「１回１ロウ」アドレッシング原理が利用されていることが知られている。
【０００４】
Ｌ本のロウ、Ｍ本のコラムを有するマイクロチップディスプレイのアドレッシングは、その結果として、持続時間のフレームＴＴがＬｘＴを越えているか等しい間、１ロウずつ（ロウタイムＴＬ）行われる。各ロウのアドレッシングの間、そのロウのＭ個の画素上に表示されるべき情報は、同時に、Ｍ本のディスプレイコラムに印加される。
【０００５】
「マイクロチップディスプレイアドレッシング」というタイトルの論文（Ｔ．レロックス（T.Leroux）、Ａ．ギィス（A.Ghis）、Ｒ．メイヤー（R.Mayer）およびＤ．サラジン
（D.Sarrasin）共著、ＳＩＤ９１、ダイジェスト、第４３７頁〜第４３９頁）には、ディスプレイのアドレッシングの他の方法はもちろんのこと、そのようなディスプレイの動作原理も記述されている。この論文は、２つのアドレッシングのタイプの区別を記述している。
【０００６】
すなわち、
（１）増幅後のアナログソース信号のサンプリングと、ビデオ信号に正比例した電圧を当該コラムへの転送とからなるアナログアドレッシング
（２）１９８８年６月２９日のフランス特許出願ＦＲ−Ａ−８８  ０８７５６に開示されているように、表示されるべき灰色のレベルの関数として、ロウ選択時間ＴＬよりも長いか短い時間行ういわゆるオン電圧のスイッチングからなるパルス幅変調（ＰＷＭ）によるディジタルアドレッシング
である。
【０００７】
また、ディジタルタイプの様々な解決方法がある。
【０００８】
まず、フレーム率制御（ＦＲＣ）がある。この方法は、特に、ＳＴＮディスプレイ（多重化されたＬＣＤ）の場合に関してＥＰ−Ａ−３８４  ４０３およびＥＰ−Ａ−３６４  ３０７に開示されており、イメージの数回走査すること、同一のイメージ素子をオン状態、あるいはオフ状態に連続的にすること、目が積分器として機能することからなる。
【０００９】
また、多レベル回路を用いた方法がある。この方法は、Ｎ個の異なる電圧レベル（特に、Ｎ＝８、あるいはＮ＝１６の場合）をスイッチすることができる回路を用いることからなる。各電圧には、与えられた灰色のレベルが対応する。この方法は、また、Ｈ．マノ、Ｔ．フルハシおよびＴ．タナカによって著された「ＴＦＴ−ＬＣＤのためのマルチカラーディスプレイ方法」というタイトルの論文（ＳＩＤ９１、ダイジェスト、第５４７頁〜第
５５０頁）に開示されているように、同一の電圧および持続時間、１６灰色のレベルを得ることを可能にする、２つのフレーム上の８つのレベル回路を用いる。
【００１０】
また、２つの連続したフレーム上で８つのレベル回路を用いることが可能であるが、電圧によってフレームに異なる重みを持たせることが可能である。たとえば、低い順位（０，１，２，３，４，５，６，７）を供給する第１のフレームと、高い順位（０，８，１６，２４，３２，４０，４８，５６）を供給する第２のフレームとは、Ｋ．タカハラ、Ｔ．ヤマグチ、Ｍ．オダおよびＨ．ヤマグチによって著された「ＴＦＴ−ＬＣＤのための１６レベルのグレイスケール駆動回路アーキテクチュアおよびフルカラー駆動」（ＩＤＲＣ９１、ダイジェスト、第１１５頁〜第１１８頁）というタイトルの論文に開示されているように、６４の灰色のレベルを得ること可能にする。しかしながら、この方法は、スクリーンのコントラストを制限する。
【００１１】
今日では、フラットスクリーンの世界においては、数個のキーポイントに関して競争が起こっている。それらのうちの１つは、低い消費レベルを見つけることである。灰色のレベルのディスプレイに対する上述したアドレッシングの変形の２つは、スクリーンの容量性の消費という視点、すなわち、アナログ制御およびマルチレベル回路を用いた方法、実際には、１６の電圧レベルに限定されるが、においてより興味深い。
【００１２】
線形形式で機能する回路を用いたアナログ制御の実際の機能は、異なる妥協に導く。そのような動作において、もしディスプレイが非常に低い消費電力である場合、回路の出力段を分極するために、無視できない電流を供給する必要がある。加えて、（２つの連続するロウのアドレッシングに対応した）１つのレベルから他のレベルへ通過するための時間が短いことが要求されればされるほど、上述した電流、したがって、制御電子回路における電力消費を増加させる必要がある。
【００１３】
ディジタル回路は、分極電流を要求せず、非常に短い反応時間でスイッチとして機能するので、消費電力が非常に低いという利点を有している。マルチレベル回路を用いる方法は、理想的な解決に近づくが、もしＱ＝２５６の灰色のレベルの表示を望むならば、２５６レベルの電圧入力を有し、駆動すべき出力として同数の２５６チャンネルのアナログマルチプレクサを有する回路を考察することは明らかに不可能である。
【００１４】
他の従来の文献、すなわち、ＥＰ−Ａ−４７８  ３８６は、薄膜フィルムトランジスタ（ＴＦＴ）ディスプレイに適用される。提案されている制御方法においては、目的は、ロウ選択時間の最後に、考慮されたコラム制御電極上に、ソースによって供給されたデータによって決定されるコラム電圧を得ることである。従来の技術によれば、Ｎ個の外部電圧の中から選択された電圧がスイッチされ、上述した応用は、限られた数の外部電圧源の点において、非常に多くの異なる最後の電圧を得るための手段を提案する。原理は、利用でき、所定の最後の値より低いか、あるいは等しいが、可能な限り近い外部電圧をコラムにチャージし、そして、第１の電圧が規定され、所定の最後の電圧に依存する時に（したがって、表示されるべき灰色のレベル）、直ちにより高い利用できる外部電圧でチャージすることからなる。上述した電圧への変化が、コラムの容量およびその容量に対応するアクセス抵抗とリンクしたある時定数で発生する時、容量に蓄積された電圧は、ロウ時間の最後に得られる電圧である（Ｒｑ：ＴＦＴディスプレイにおいて、各画素は、１つのスイッチとして動作する１つのトランジスタの両端のコラム電極とリンクし、ロウ電極によって駆動され、ロウ時間の最後でスイッチは開成される。これにより、画素容量に高インピーダンスの変化があり、画素容量への電圧の蓄積がある）。第２の電圧をトリッピングする時に作用することによって、選択の最後に、完全な一連の中間の電圧を得ることが可能である。
【特許文献１】仏国特許出願公開第８８０８７５６号明細書
【特許文献２】欧州特許出願公開第３８４４０３号明細書
【特許文献３】欧州特許出願公開第３６４３０７号明細書
【特許文献４】欧州特許出願公開第４７８３８６号明細書
【非特許文献１】Ｒ．メイヤー（R.Meyer）著、「マイクロチップ蛍光ディスプレイ」、日本表示、８６年、第５１２頁
【非特許文献２】Ｔ．レロックス（T.Leroux）、Ａ．ギィス（A.Ghis）、Ｒ．メイヤー（R.Mayer）およびＤ．サラジン（D.Sarrasin）共著、「マイクロチップディスプレイアドレッシング」、ＳＩＤ９１、ダイジェスト、第４３７頁〜第４３９頁
【非特許文献３】Ｈ．マノ、Ｔ．フルハシ、Ｔ．タナカ、「ＴＦＴ−ＬＣＤのためのマルチカラーディスプレイ方法」、ＳＩＤ９１、ダイジェスト、第５４７頁〜第５５０頁
【非特許文献４】Ｋ．タカハラ、Ｔ．ヤマグチ、Ｍ．オダ、Ｈ．ヤマグチ、「ＴＦＴ−ＬＣＤのための１６レベルのグレイスケール駆動回路アーキテクチュアおよびフルカラー駆動」、ＩＤＲＣ９１、ダイジェスト、第１１５頁〜第１１８頁
【発明の開示】
【発明が解決しようとする課題】
【００１５】
本発明は、上述した問題点に鑑み、ディスプレイのコラムを好適に制御可能な装置を提供することを目的とする。
【課題を解決するための手段】
【００１６】
本発明は、ディスプレイのコラムを制御する装置であって、ｋビットからなる表示されるべき情報を供給するディジタルデータソースと、（Ｎ＋１）個の離散的な電圧の発生器と、前記ｋビットのうちのｈビットに基づいて、表示されるべき灰色のレベルに適したコラム電圧のペアを選択する信号を生成するバイナリデコーディング回路と、ロウ時間以内にアドレッシングシーケンスを供給することが可能なシーケンサと、該シーケンサの出力と前記ｋビットのうちの残りのビットとを比較するコンパレータと、バイナリデコーディング回路およびコンパレータの出力に接続された論理回路と、前記発生器からの電圧を、前記論理回路の出力に基づいてコラムに供給する（Ｎ＋１）個のスイッチと、を具備することを特徴とする。
【発明の効果】
【００１７】
本発明によれば、ディスプレイのコラムを好適に制御することができる。
【発明を実施するための最良の形態】
【００１８】
＜発明の記述＞
本発明は、離散的な数のＱ個の灰色の色調を有するイメージのＬ本のロウおよびＭ本のコラムに従って配列された画素からなるマイクロチップ蛍光ディスプレイの制御方法であって、ロウ選択時間ＴＬの間ディスプレイの１つのロウの選択毎に、前記ロウおよび前記コラムの交点に対応するイメージポイントに表示されるべき灰色のレベルに対応する電圧の表示コラムへの同時印加と、コラムに印加可能な異なるコラム電圧値が、ロウ選択時間がＳ等分のタイムインターバルΔｔに細分されるように（Ｎ＋１）個の値の正確に増加するシーケンスにおいて選択され、各電圧値は整数の時間Δｔ印加され、｛（Ｎ×Ｓ）＋１｝は、Ｎ≧２およびＳ≧２の時、Ｑ個の灰色のレベルを示し、ロウ選択ＴＬの間、イメージポイントに表示されるべき灰色のレベルの関数として、対応するコラム電圧が一定の数のタイムインターバルΔｔとして第１の値Ｖａと、もし必要ならば、残存タイムインターバルの間、Ｎ個の電圧のシーケンスで第１の電圧値に続く、せいぜい１つの第２の電圧値Ｖｂとを仮定することからなる方法に関する。
【００１９】
この方法において、マイクロチップ蛍光ディスプレイの電気光学反応によって与えられる時間と電圧の両方の変調の可能性を有するアドレッシング方法が利用される。放出しき
い値を越えて、得られた輝度は、（Ｖ×Ｔ）に比例した効果である。Ｖは、印加された陰極ゲート電圧であり、Ｔは上述した電圧の印加の持続期間である。本発明の結果として、大きな数の灰色のレベルの選択を達成する一方で、ディジタル回路の消費電力の利点とアナログアドレッシング方法の利点との組み合わせがある。
【００２０】
また、本発明は、ｋビットで表示されるべき情報をエンコードするワードＫを供給するディジタルデータソース源と、データソースからの同期信号を入力し、表示コラムの制御回路を駆動可能な異なる信号を制御するディスプレイコントローラと、（Ｎ＋１）個の離散的な電圧の発生器と、ｋ入力および（ｋ×Ｍ）出力を有し、各出力がストレージフリップフロップと連動したシフトレジスタを組み込んだ表示コラムのための制御回路と、一端が（ｋ×Ｍ）のフリップフロップおよび発生器と接続され、他端がＭコラムに接続され、前記コラムと関連したｋ個のフリップフロップに記憶されたワードＫの関数として、（Ｎ＋１）の中から選択された電圧を各コラムにスイッチすることを可能にするアナログ乗算手段とを具備する灰色のレベルを表示することを可能にするマイクロチップ蛍光ディスプレイのコラムを制御する装置に関する。
【００２１】
１つのコラムの制御回路のｋ個のフリップフロップに記憶されている各ワードＫは、ワードＨが（２ｈ＝Ｎ＋１）によりｈの最高次ビットＫによって構成され、ワードＢが最低次のビットを残す（ｋ−ｈ）によて構成されるように、２つのワードＨおよびＢに分けられ、１つのコラムの制御回路の乗算手段は、ｈの最高次ビットをメモリに有する前記コラムのｈ個のフリップフロップに接続され、Ｈのエンコーディングを運ぶＮ個の信号Ｈ０〜ＨＮ−１を生成し、表示されるべき灰色のレベルに対して適したコラム電圧（Ｖｉ，Ｖｉ＋１）のペアを選択することを可能にする２ｎの中から１つのｎビットのバイナリデコーディング回路と、（ｋ−ｈ）ビットにコードされたロウ時間以内にアドレッシングシーケンスを供給することが可能なシーケンサを有し、（ｋ−ｈ）の最低次のビットに接続されたコンパレータと、デコーディング回路およびコンパレータの出力に接続された組み合わせ論理回路と、アナログ入力が発生器に接続され、有効入力が組み合わせ論理回路に接続され、そのすべての出力が対応するコラムに接続された（Ｎ＋１）個のアナログスイッチとを具備している。
【００２２】
シーケンサは、ロウ時間以内にアドレッシングシーケンスの指数Ｐを供給する。前記指数Ｐは（ｋ−ｈ）ビットでコードされている。
【００２３】
シーケンサは、好ましくはカウンタであり、そのクロックは１つのロウ時間当たり２（ｋ−ｈ）パルスを有し、前記カウンタは各ロウ時間の間に開始させられる。
【００２４】
コンパレータは、信号ＰとＢとの間の比較を実行し、次式に示すコーディングビットＥを供給する。
【数１】
2007140552.tif 000003
【００２５】
コーディングビットＥおよび信号Ｈ０〜ＨＮ−１の間に設けられている組み合わせ論理回路は、電圧ＶｉからＶｉ＋１への変化を将来位置付けるために、次式に示すように、（Ｎ＋１）個のアナログスイッチを駆動する信号Ｆ０〜ＦＮを得ることを可能にする。
【数２】
2007140552.tif 000004
【００２６】
（Ｎ＋１）個の離散的な電圧の発生器は、抵抗分割ブリッジ（Ｒ１，Ｒ２，……ＲＮ）によって設定された入力電圧とともに、フォロア増幅器として接続されている演算増幅器によって構成されている。電圧の線形分布の場合、分割ブリッジの抵抗は、すべて同一の値を有する。
【００２７】
また、（Ｎ＋１）個の離散的な電圧の発生器は、（Ｎ＋１）個の電圧の値を計算するコントローラによって制御される、１つ、あるいはそれ以上のディジタル・アナログ変換器を基礎として構成され得る。
【００２８】
さらに、白黒、あるいはカラーパレット回路は、ユーザの要求に従って離散的電圧発生器を制御することが可能にする。
【００２９】
＜実施例の詳述＞
本発明は、離散的な数の灰色の色調を有するイメージのＬ本のロウおよびＭ本のコラムに従って配列された画素からなるマイクロチップ蛍光ディスプレイの制御方法に関する。
【００３０】
この方法において、コラム（陰極）は、それらを活性化するために用いられる信号によって制御される。これらのコラム信号は、Ｎ≧２および０≦ｉ≦Ｎの時、（Ｎ＋１）の中から電圧Ｖｉの選択を可能にする。これらの（Ｎ＋１）個の電圧Ｖｉは、それらの値が正確に増加するシーケンスを構成するように、選択される。ロウ時間は、Ｓ等分のタイムインターバルΔｔに細分化される。Ｓは２以上の整数である。このことは、式（Ｑ＝Ｓ×Ｎ）の直方体や正方形を用いて時間・電圧空間を正方形にすることや市松模様にすることを導く。これらのそれぞれは、その重み（Ｖ×Ｔ）に比例した輝度供給を表す。
【００３１】
ロウ選択時間ＴＬの間、表示されるべき灰色のレベルの関数として、コラム信号は、ある数のタイムインターバルΔｔの間、第１の電圧値Ｖａを仮定しなければならない。そして、もし必要ならば、残存タイムインターバルの間、せいぜい１，２個の電圧値Ｖｂ、これはＮ個の電圧のシーケンスで第１の電圧値に続いているが、これを仮定しなければならない。この第２の値は、次式に示すようでなければならない。
Ｖｂ＝Ｖａ±ΔＶ
【００３２】
もし次数１の灰色の色調は、時間Δｔの間、電圧Ｖ１の印加によって得られる。次数２の灰色の色調は、時間（Δｔ＋Δｔ）の間、電圧Ｖ１の印加によって得られる。そし、次数Ｓの灰色の色調を得るために、時間ΔｔのＳ倍の間、それを印加する必要がある。次数（Ｓ＋１）の灰色の色調は、時間Δｔの間電圧Ｖ２を印加し、（Ｓ−１）の他のタイムインターバルの間電圧Ｖ１を印加することによって得られるであろう。
【００３３】
図１は、（Ｎ×Ｓ＝８×８＝６４）の灰色のレベルを発生させることが可能なＮ＝８およびＳ＝８の場合のマトリックスディスプレイのコラムを活性化するための信号の例を示している。信号は、灰色の４２番のディスプレイ、すなわち、描画において正方形１から
４２までの活性化に対応している。マルチレベルにおいて従来の制御作用に比べれば、２つの隣接するレベル（線形電圧シーケンスの特別な場合、ΔＶ＝ＶＮ／Ｎ）の間の単一の追加の変化を有する間、ペア｛Ｎ＝１６，Ｓ＝１６｝、あるいはペア｛Ｎ＝８，Ｓ＝３２｝とともに、大きな灰色のレベル、たとえば、２５６を得ることが可能である。したがって、変化の容量性消費が電圧シフトΔＶの２乗に比例するので、消費「コスト」は、最小である。
【００３４】
（Ｎ＋１）個の電圧Ｖｉは、たとえば、０からＮまでのｉに対して、｛Ｖｉ＝ｉ×（ＶＮ／Ｎ）｝となるようにすることができる。それは、連続した灰色のレベルの間の化シフトに同一の重要性（ΔＶ×Δｔ）を与える。しかしながら、電圧を段階付けることによって非線形分布を選択することが可能である。このことは、ユーザの要望に従ったディスプレイの電気光学反応を調整することが可能にする。これにより、マイクロチップ蛍光ディスプレイの輝度／電圧反応（ロウ／コラム、あるいは格子／陰極ＶＧＣ）は、図２に従っている。したがって、等しいタイムインターバルおよび妥当に選択された電圧を用いることにより、上述した反応および所望の曲線の間の連続した範囲において一致を成し遂げることが可能である。
【００３５】
輝度値の与えられたシーケンスを得るために、輝度／電圧反応曲線の点から単一のシーケンスを捜すことが可能である。これにより、テレビ応用に対するガンマ補正を実行したり、データ処理タイプの応用に対するパレット回路の機能を満足することが可能である。
【００３６】
上述したＥＰ−Ａ−４７８  ３８６の場合とは異なり、本発明による方法は、マイクロチップ、あるいはディスプレイの特別な場合に応用できる。上述したディスプレイの電気光学反応は、アクティブマトリックス液晶ディスプレイ（ＴＦＴ）のそれとは異なる。これにより、ＴＦＴタイプのディスプレイに対して、ロウ時間の蓄電が電圧の代わりをする間、それは、１つのフレームの間（イメージの完全な走査）、画素上に維持される。上述した電圧は分子のスイッチングを駆動し、したがって、光の変調が完全なフレームの間転送される。マイクロチップディスプレイに対して、電気光学反応は、ロウ選択時間の間直ちに生じ、このロウ時間の間考慮された画素のみが放出する。
【００３７】
選択されたロウに印加された電圧は、コラム／ロウ電圧を放出しきい値の限界に運ぶ（ところが、選択されなかったロウのコラム／ロウ電圧は、まだ上述したしきい値以下である）。さらに、このコラム選択時間の間にコラムに印加された電圧は、直ちに多かれ少なかれ明白な放出（輝度／電圧曲線の関数として）を生じさせる。したがって、放出は、ロウ選択時間の間のみ生じる。
【００３８】
本発明による方法は、単位面積当たりの灰色のレベルの構成を提供するための上述した機能に基づいている。図的に言えば、ロウ選択時間内において、画素の制御可能性は、次元Ｖの側（コラム電圧＝陰極電圧）と、次元ＴＬの側を有する矩形の領域によって表現される。提案は、ＴＬの側に対してＳ等分のタイムインターバルおよびＶの側に対してＮ個の等しい、あるいは等しくない電圧インターバルで上述した領域の面積を求めることを実行することである。ＥＰ−Ａ−４７８  ３８６と同様に、実際には、用いられ得る外部電圧Ｖｉの離散的な数が制限されるので、（Ｓ×Ｎ）の正方形、あるいは立方体の面積を求めることがある。
【００３９】
したがって、０，１，２、あるいは（Ｑ−１）個の正方形の同時選択によって｛Ｑ＝（Ｓ×Ｎ）＋１｝個の灰色のレベル（０から（Ｑ−１）まで）を求めることが可能である。
【００４０】
複数の上述した正方形の選択は、明確に定義されたシーケンスで行わなければならない。というのは、一方では、電圧が必ずしも等しくないので、各正方形のそれぞれの重要性
がその電圧レベルに依存する（これらの正方形のランダムな選択は反応曲線における不連続を導く）であり、他方では、本発明によるアドレッシングシステムの第１の目的が印加されたコラム電圧における変化を最小にする（容量性の消費電力の点）ことであるからである。したがって、Ｖ軸に沿ってより高い順位の正方形へ移行する前に、ＴＬ軸に沿って正方形を加算することがふさわしい。実際には、このことは、（Ｓ−ｊ）個のタイムインターバルの間の第１の電圧Ｖｉの選択と、当該ロウのｊ個のタイムインターバルの間の第２の電圧Ｖｉ＋１（あるいはＶｉ−１）の選択とによって、与えられた灰色のレベルの表示を導く。
【００４１】
これにより、本発明の方法は、上述した時間を、２つの選択された電圧の間のスイッチングがいずれかのランダムなインターバルの開始で行われるように、Ｓ個のあらかじめ定義された等しいタイムインターバルに細分化することによって、コラム電圧／ロウ選択時間空間をディジタル化する。ＥＰ−Ａ−４７８  ３８６において、コラムの制御について、発生器からの２つの隣合った電圧の間のスイッチングがある。しかしながら、上述したスイッチングは、画素の容量に２つの選択された電圧に対して中間の電圧を蓄積することを目的としているので、上述した中間の電圧は、蓄積開始時間に影響を及ぼすことによってその制御トランジスタの両端の上述したコンデンサの蓄積時間を用いることによって得られる。さらに、本発明においてとは異なって、２つの選択された電圧の間のスイッチングは、ロウ選択時間の最後で行われる。
【００４２】
図３および図４は、Ｎ個の電圧の間のシフト、あるいは変形を調整する可能性のよりよい理解を提供する。図３は、等しい電圧シフトＶの場合に得られる輝度Ｌの分布を示している。図４は、上述した電圧Ｖを調整することによって得られる輝度Ｖの線形分布を示している。
【００４３】
また、本発明は、ディスプレイコラムに関する電子制御装置に関する。図５に示すように、上述した装置は、ｋビットで表示されるべき情報をエンコードするワードＫを供給するディジタルデータソース１０（アナログソースの場合、データのアナログ・ディジタル変換が必要である）と、データソースからの同期信号を入力し、ディスプレイ１５のコラムの制御回路１３を駆動するための異なる信号を制御するディスプレイコントローラ１１と、（Ｎ＋１）個の離散的な電圧の発生器１４と、ディスプレイ１５のコラムの制御回路１３とを具備し、コントローラ１１は、また、ロウ制御回路１２を駆動するために用いられる。
【００４４】
ディスプレイコラム制御回路１３は、周知のように、ｋ入力および（ｋ×Ｍ）出力を有するシフトレジスタ１６によって構成されており、各出力は、ストレージフリップフロップ１７と連動している。言い替えれば、各コラム制御回路は、シフトレジスタの一部とｋ個のフリップフロップとを有している。このような方法でコラム制御回路のｋ個のフリップフロップに蓄積された各ワードＫは、（Ｎ＋１）個の中から選択された電圧の制御を有効にすることができなければならない。したがって、制御回路は、乗算手段を有している。装置の独自の部分は、２つの手段に関している。図６は、本発明による乗算手段の構成を示している。これらの手段は、Ｎビット（２ｎの中の１個）のバイナリデコーディング回路２２と、コンパレータ２４と、組み合わせ論理回路２５と、（Ｎ＋１）個のアナログスイッチ２１とからなり、それらの出力のすべては、当該チャンネルのコラム出力ＳＣに接続され、アナログ入力は、発生器１４に接続されている。これらのスイッチの有効な入力は、後述する方法で決定される。
【００４５】
ソース１０によって供給されたワードＫは、（Ｎ＋１）個の電圧を有している時に、ワードＨが（２ｈ＝Ｎ＋１）によりｈの高次ビットＫによって構成され、ワードＢが低次のビットを残す（ｋ−ｈ）によて構成されるように、２つのワードＨおよびＢに分けられる
。
【００４６】
たとえば、Ｎ＝８に対して、バイナリワードＫ（１１００１１１０）を考えると、ｈ＝３が得られ、ワードＨは３つの最初のビット、すなわち、（１１０）によって構成され、ワードＢは５つの最後のビット、すなわち、（０１１１０）によって構成される。ワードＨは、表示されるべき灰色のレベルに対して適した電圧（Ｖｉ，Ｖｉ＋１）のペアを決定するために用いられ、Ｈのエンコーディングを運ぶＮ個の信号Ｈ０〜ＨＮ−１を生成するために、２ｎの中から１つのＮビットをバイナリデコーディング回路２２に供給する。
【００４７】
これにより、たとえば、表１に示す３ビット（８の中から１つ）（２３＝８）バイナリデコーダの真理値表が得られる。
【表１】
2007140552.tif 000005
【００４８】
この例は、正の論理機能デコーダ（状態１でアクティブ出力）に対して与えられている。また、負の論理機能デコーダとともに動作することが可能である。与えられた時間に閉成された１つのスイッチを有するようにするために、一旦、単一の正当な出力のみがあることが重要である。
【００４９】
この目的のために、シーケンサが設けられており、ロウ時間以内にアドレッシングシーケンスの指数Ｐを供給する。Ｐは（ｋ−ｈ）ビットでコードされている。このシーケンサは、たとえば、カウンタ２３であり、そのクロックＣＰＧは、１ロウ時間当たり２（ｋ−ｈ）パルスを有する。カウンタ２３は、各ロウ時間の間に始動させられる（信号のロード）。カウンタ２３は、外部のカウンタ、あるいは回路毎のカウンタでもよい。Ｅはコーディングビットであり、コンパレータ２４は、次式に示すような、ＢおよびＰの比較を実行することを可能にする。
【数３】
2007140552.tif 000006
【００５０】
コンパレータ２４に供給されたコーディングビットＥは、ＶｉからＶｉ＋１への変化を将来位置付けることを可能にする。信号Ｅおよび信号Ｈ０〜ＨＮ−１の間に設けられている組み合わせ論理回路２５は、（Ｎ＋１）個のアナログスイッチを駆動する信号Ｆ０〜ＦＮ（次式参照）を得ることを可能にする。
【数４】
2007140552.tif 000007
【００５１】
図７に示すように、（Ｎ＋１）個の離散的電圧を発生する発生器１４は、たとえば、抵抗分割ブリッジＲ１，Ｒ２，……ＲＮによって設定された入力電圧とともに、フォロワとして接続された、（Ｎ＋１）個の演算増幅器３０によって構成される。図７の場合、分割ブリッジの供給端子は、それ自体電圧源であり、両極端の電圧Ｖ０およびＶＮは、上述した端子から（フォロワとして接続された演算増幅器によってインピーダンスマッチングなしで）直接得られる。電圧の線形分布の場合、抵抗Ｒ１〜ＲＮは、すべて同一の値を有するか、そうでなければ、それらの比率が所定の値Ｖ０〜ＶＮの関数として、計算されるであろう。
【００５２】
しかしながら、この（Ｎ＋１）個の離散的電圧を発生する発生器は、また、図８に示すように、１つ、あるいはそれ以上のディジタル・アナログ変換器３１を基礎として構成することができる。ディジタル・アナログ変換器３１は、（Ｎ＋１）個の電圧の値を計算するコントローラ３２によって制御され、増幅器３３によってフォロアされる。
【００５３】
陰極線管の応用において、多くのより大きな数の中から選択されたある数のカラー（あるいは白黒ディスプレイに対して灰色のレベル）を表示することを選択することが一般的にできる。上述した官能性は、一般的に、特別ないわゆるパレット回路によって実現される。この作用は、本発明の適用範囲以内で可能であり、パレット回路は、離散的電圧発生器およびユーザの要求に従ったパレットを制御しなければならない。
【００５４】
ＥＰ−Ａ−４７８  ３８６に比べれば、本発明による装置の導入において、スイッチング時間は、完全に定義され、いずれの外部パラメータにも依存しないので、等しいタイムインターバルを有する必要は、単純化を導くことを注意すべきである。したがって、単一のＣＰＧロウサブタイムカウンタを用いること、および、カウンタの状態と、表示されるべきデータの低次元を構成するすべてのビットの間を比べることによってを動作することが可能である。ＥＰ−Ａ−４７８  ３８６において、ＶｉからＶｉ＋１への変化のトリッピングの位置が制御すべき（時定数（ＲＳ×ＣＳ）は、たとえば、表示サイズによって変化する）表示性質に依存するので、サブタイム（信号ＴＭ）は、外部から供給される。
【図面の簡単な説明】
【００５５】
【図１】マトリックスディスプレイのコラムを活性化する信号の例を表す図である。
【図２】マイクロチップ蛍光ディスプレイの電圧に対する輝度の特性の一例を示す図である。
【図３】電圧の関数としての輝度の分布の一例を示す図である。
【図４】電圧の関数としての輝度の分布の一例を示す図である。
【図５】本発明による制御装置の構成を表すブロック図である。
【図６】本発明による制御装置の構成を表す回路図である。
【図７】本発明による制御装置の回路の実施例を表す回路図である。
【図８】本発明による制御装置の回路の実施例を表すブロック図である。
【符号の説明】
【００５６】
１０  ディジタルデータソース
１１  ディスプレイコントローラ
１２  ロウ制御回路
１３  制御回路
１４  発生器
１５  ディスプレイ
【図１】
2007140552.tif 000008
【図２】
2007140552.tif 000009
【図３】
2007140552.tif 000010
【図４】
2007140552.tif 000011
【図５】
2007140552.tif 000012
【図６】
2007140552.tif 000013
【図７】
2007140552.tif 000014
【図８】
2007140552.tif 000015